(57)【要約】【課題】  インバートコンクリートとの付着性を簡単に高めることができる側溝ブロックを提供する。【解決手段】  側溝ブロック１は、底壁１ａと、その底壁１ａの両側から立ち上がる側壁１ｂ、１ｂを有している。この側溝ブロック１は、底壁１ａに、下側に開口する凹部１ｄが、上側にノックアウトによって除去可能なノックアウト部１ｅを残すようにして形成されている。これにより、この側溝ブロック１は、底壁１ａの上にインバートコンクリート２を打設しない場合には、ノックアウト部１ｅを除去しないまま用いられる。そして、インバートコンクリート２を打設する場合には、その打設の前に、ノックアウト部１ｅが除去される。【選択図】  図１
2006028786.tif 000002
【特許請求の範囲】
【請求項１】
底壁を有する側溝ブロックであって、
前記底壁に、下側に開口する凹部が、上側にノックアウトによって除去可能なノックアウト部を残すようにして形成されていることを特徴とする側溝ブロック。
【請求項２】
前記凹部は、前記側溝ブロックの長手方向の端面に開口するように設けられていることを特徴とする請求項１に記載の側溝ブロック。
【請求項３】
前記凹部は、前記側溝ブロックの長手方向の端面に開口する凹部に替えて、あるいは加えて、前記側溝ブロックの長手方向の中間部分に設けられていることを特徴とする請求項２に記載の側溝ブロック。
【請求項４】
請求項１に記載の側溝ブロックの底壁の上にインバートコンクリートを打設する、インバートコンクリートの打設方法であって、
前記側溝ブロックに形成された前記ノックアウト部を除去して、その除去した除去部と前記凹部とからなる上下に貫通する透孔を形成し、
前記透孔にコンクリートが流入するようにして、前記底壁の上に、前記インバートコンクリートを打設することを特徴とする、側溝ブロックにおけるインバートコンクリートの打設方法。
【請求項５】
前記インバートコンクリートの打設に先立ち、鉄筋を、前記底壁の上に、その後のインバートコンクリートの上面の基準となるように、かつ、一部を前記透孔に挿入するように配備することを特徴とする請求項４に記載の、側溝フロックにおけるインバートコンクリートの打設方法。
【請求項６】
前記凹部は、前記側溝ブロックの長手方向の中間部分に設けられており、
前記鉄筋は、隣合う前記側溝ブロックに跨って配備されるとともに、一部が、前記透孔に挿入されることを特徴とする請求項５に記載の、側溝ブロックにおけるインバートコンクリートの打設方法。
【発明の詳細な説明】
【技術分野】
【０００１】
この発明は、底壁を有する側溝ブロック、および、その側溝ブロックにおけるインバートコンクリートの打設方法に関するものである。
【背景技術】
【０００２】
従来、底壁を有する側溝ブロック、例えば、Ｕ字側溝ブロックにおいて、底壁の上に、インバートコンクリートを打設することがあった。
【発明の開示】
【発明が解決しようとする課題】
【０００３】
しかし、前記従来のＵ字側溝ブロックにあっては、そのＵ字側溝ブロックとインバートコンクリートとの付着性が低かった。そのため、例えば、Ｕ字側溝ブロックの表面にプライマーを塗布したり、接着材を用いたりする等、その付着性に配慮する必要があった。
【０００４】
この発明は、上記した従来の欠点を解決するためになされたものであり、その目的とするところは、側溝ブロックとインバートコンクリートとの付着性を簡単に高めることができる、側溝ブロック、および側溝ブロックにおけるインバートコンクリートの打設方法を提供することにある。
【課題を解決するための手段】
【０００５】
この発明に係る側溝ブロック、および側溝ブロックにおけるインバートコンクリートの打設方法は、前記目的を達成するために、次の構成からなる。すなわち、
請求項１に記載の発明に係る側溝ブロックは、底壁を有する側溝ブロックであって、前記底壁に、下側に開口する凹部が、上側にノックアウトによって除去可能なノックアウト部を残すようにして形成されている。これにより、この側溝ブロックは、底壁の上にインバートコンクリートを打設しない場合には、ノックアウト部を除去しないまま用いられる。そして、底壁の上にインバートコンクリートを打設する場合には、その打設の前に、ノックアウト部を除去しておく。こうすることで、インバートコンクリートを打設した際には、コンクリートは、ノックアウト部を除去した除去部および凹部に流入する。
【０００６】
また、請求項２に記載の発明に係る側溝ブロックのように、請求項１に記載の側溝ブロックにおいて、前記凹部は、前記側溝ブロックの長手方向の端面に開口するように設けられてもよい。
【０００７】
また、請求項３に記載の発明に係る側溝ブロックのように、請求項２に記載の側溝ブロックにおいて、前記凹部は、前記側溝ブロックの長手方向の端面に開口する凹部に替えて、あるいは加えて、前記側溝ブロックの長手方向の中間部分に設けられてもよい。
【０００８】
また、請求項４に記載の発明に係る側溝ブロックにおけるインバートコンクリートの打設方法は、請求項１に記載の側溝ブロックの底壁の上にインバートコンクリートを打設する、インバートコンクリートの打設方法である。この打設方法は、前記側溝ブロックに形成された前記ノックアウト部を除去して、その除去した除去部と前記凹部とからなる上下に貫通する透孔を形成する。そして、前記透孔にコンクリートが流入するようにして、前記底壁の上に、前記インバートコンクリートを打設する。
【０００９】
また、請求項５に記載の発明に係る側溝ブロックにおけるインバートコンクリートの打設方法のように、請求項４に記載の打設方法において、前記インバートコンクリートの打設に先立ち、鉄筋を、前記底壁の上に、その後のインバートコンクリートの上面の基準となるように、かつ、一部を前記透孔に挿入するように配備してもよい。こうして、鉄筋が、インバートコンクリートの上面の基準となることで、このインバートコンクリートの上面の仕上げを容易に行なうことができる。しかも、鉄筋によって、インバートコンクリート部分の強度を高めることができる。
【００１０】
また、請求項６に記載の発明に係る側溝ブロックにおけるインバートコンクリートの打設方法のように、請求項５に記載の打設方法において、前記凹部は、前記側溝ブロックの長手方向の中間部分に設けられており、前記鉄筋は、隣合う前記側溝ブロックに跨って配備されるとともに、一部が、前記透孔に挿入されてもよい。こうして、隣合う側溝ブロックに跨って配備される鉄筋によって、側溝ブロックどうしの連結を強固にすることができる。
【発明の効果】
【００１１】
この発明に係る側溝ブロック、および側溝ブロックにおけるインバートコンクリートの打設方法によれば、インバートコンクリートを、ノックアウト部を除去した除去部と凹部とに流入させることで、側溝ブロックとインバートコンクリートとの付着性を簡単に高めることができる。
【発明を実施するための最良の形態】
【００１２】
以下、この発明に係る側溝ブロック、および側溝ブロックにおけるインバートコンクリートの打設方法を実施するための最良の形態を図面に基づいて説明する。
【００１３】
図１ないし図６は、本発明の一実施の形態を示す。図中符号１は、底壁１ａを有する側溝ブロックである。この側溝ブロック１は、コンクリート製であって、例えば、Ｕ字側溝ブロックからなる。そして、側溝ブロック１は、図１および図２に示すように、前記底壁１ａの他に、その底壁１ａの両側から立ち上がる側壁１ｂ、１ｂを有している。また、側壁１ｂの上部には、側溝蓋（図示せず）を載せるための蓋掛り段部１ｃが設けられている。
【００１４】
ここで、側溝ブロック１は、その底壁１ａに、下側に開口する凹部１ｄが設けられている。詳細には、この凹部１ｄは、上側にノックアウトによって除去可能なノックアウト部１ｅを残すようにして形成されている。そして、図示実施の形態においては、この凹部１ｄは、側溝ブロック１の長手方向の端面１ｆに開口するように、各端面１ｆ側に設けられている。また、この凹部１ｄは、下側ほど幅広となるように形成されている（図１参照）。
【００１５】
次に、この側溝ブロック１において、その底壁１ａの上にインバートコンクリート２を打設する、インバートコンクリートの打設方法を説明する。この打設方法は、始めに、図３に示すように、側溝ブロック１に形成されたノックアウト部１ｅを除去して、その除去した除去部と前記凹部１ｄとからなる上下に貫通する透孔１０１を形成する。
【００１６】
そして、図４および図５に示すように、鉄筋３を、底壁１ａの上に、その後に打設されるインバートコンクリート２の上面の基準となるように、かつ、一部を透孔１０１に挿入するように配備する。図示実施の形態においては、鉄筋３は、第１および第２の鉄筋３ａ、３ｂからなる。これら第１の鉄筋３ａと第２の鉄筋３ｂとは、底壁１ａの幅方向に並置され、そして、連結用の鉄筋３ｃ、３ｃによって連結される。また、鉄筋３ａ、３ｂの両端部３０１、３０１は、下方に折り曲げ形成されており、これら端部３０１、３０１が、前記透孔１０１に挿入される。また、鉄筋３（３ａ、３ｂ）には、鉄筋３の高さ位置をインバートコンクリート２の上面に対応させるための調整手段４が設けられている。この調整手段４は、高さ位置が調整されて、側溝ブロック１の底壁１ａに載る調整片４ａからなる。詳細には、この調整片４ａは、鉄筋３ａ、３ｂの端部３０１、３０１の所要の位置に設けられ、こうして、鉄筋３（３ａ、３ｂ）の高さ位置が調整される。
【００１７】
その後、図６に示すように、側溝ブロック１の透孔１０１にコンクリートが流入するようにして、底壁１ａの上に、インバートコンクリート２を打設する。このとき、鉄筋３（３ａ、３ｂ）は、インバートコンクリート２の上面の基準となっており、この鉄筋３（３ａ、３ｂ）に合わせるようにして、インバートコンクリート２の上面を仕上げる。
【００１８】
次に、以上の構成からなる側溝ブロック１、およびインバートコンクリート２の打設方法の作用効果について説明する。この側溝ブロック１は、底壁１ａの上にインバートコンクリート２を打設しない場合には、ノックアウト部１ｅを除去しないまま用いられる。そして、底壁１ａの上にインバートコンクリート２を打設する場合には、その打設の前に、ノックアウト部１ｅを除去しておく。こうすることで、インバートコンクリート２を打設した際には、コンクリートは、ノックアウト部１ｅを除去した除去部および凹部１ｄ（すなわち、除去部と凹部１ｄとからなる上下に貫通する透孔１０１）に流入する。こうして、インバートコンクリート２を、ノックアウト部１ｅを除去した除去部と凹部１ｄ（すなわち透孔１０１）に流入させることで、側溝ブロック１とインバートコンクリート２との付着性を簡単に高めることができる。特に、凹部１ｄは、下方ほど幅広となっており、側溝ブロック１とインバートコンクリート２との付着性は、一層高まることとなる。このように、この側溝ブロック１は、インバートコンクリート２を打設しない場合には、ノックアウト部１ｅを除去することなくそのまま用いられ、インバートコンクリート２を打設する場合には、ノックアウト部１ｅを除去することで、そのインバートコンクリート２との付着性を高めることができる。
【００１９】
しかも、インバートコンクリート２の打設の際には、鉄筋３（３ａ、３ｂ）が、インバートコンクリート２の上面の基準となり、このインバートコンクリート２の上面の仕上げを容易に行なうことができる。その上、この鉄筋３によって、インバートコンクリート２部分の強度を高めることができる。
【００２０】
なお、本発明は、上述した実施の形態に限定されるわけではなく、その他種々の変更が可能である。例えば、側溝ブロック１は、底壁１ａを有する側溝ブロックであればよく、Ｕ字側溝ブロックに限らず、暗渠型の側溝ブロックであっても構わない。
【００２１】
また、凹部１ｄは、側溝ブロック１の長手方向の端面１ｆに開口するように、各端面１ｆ側に設けられているが、一方の端面１ｆ側にのみ設けられてもよい。
【００２２】
さらに、凹部は、側溝ブロック１の長手方向の端面１ｆに開口する凹部１ｄに替えて、あるいは加えて、側溝ブロック１の長手方向の中間部分（例えば、中央部分）に設けられてもよい。図７は、側溝ブロック１の長手方向の端面１ｆに開口する凹部１ｄに加えて、側溝ブロック１の長手方向の中間部分（詳細には、中央部分）にも凹部１ｄが形成された例を示している。そして、このように、凹部１ｄが、側溝ブロック１の長手方向の中間部分に設けられる場合には、図８に示すように、鉄筋３は、隣合う側溝ブロック１、１に跨って配備されてもよい。そして、この場合においても、鉄筋３は、その一部が、ノックアウト部１ｅを除去した除去部と凹部１ｄ（すなわち透孔１０１）に挿入される。
【００２３】
また、インバートコンクリート２の打設にあたっては、この打設に先立ち、鉄筋３を側溝ブロック１の底壁１ａの上に配備しているが、必要なければ、この鉄筋３を配備しなくともよい。また、鉄筋３を配備する場合には、その鉄筋３が完全に埋設されるように、インバートコンクリート２を打設しても構わない。
【図面の簡単な説明】
【００２４】
【図１】この発明の一実施の形態の、側溝ブロックの斜視図である。
【図２】同じく、図１におけるＡ−Ａ線による断面図である。
【図３】同じく、側溝ブロックのノックアウト部を除去した状態を示す縦断面図である。
【図４】同じく、側溝ブロックに鉄筋を配備した状態を示す縦断面図である。
【図５】同じく、図４におけるＢ矢視図である。
【図６】同じく、インバートコンクリートを打設した状態を示す縦断面図である。
【図７】この発明の他の実施の形態の、図２相当図である。
【図８】同じく、図６相当図である。
【符号の説明】
【００２５】
１  側溝ブロック
１ａ  底壁
１ｄ  凹部
１ｅ  ノックアウト部
１ｆ  端面
２  インバートコンクリート
３  鉄筋
３ａ  第１の鉄筋（鉄筋）
３ｂ  第２の鉄筋（鉄筋）
１０１  透孔
【図１】
2006028786.tif 000003
【図２】
2006028786.tif 000004
【図３】
2006028786.tif 000005
【図４】
2006028786.tif 000006
【図５】
2006028786.tif 000007
【図６】
2006028786.tif 000008
【図７】
2006028786.tif 000009
【図８】
2006028786.tif 000010